(57)【要約】【課題】  安定して自動サーチや自動プリセットを行う受信装置を提供する。【解決手段】  受信アンテナ２に生じる受信信号Ｓinから音声検波信号Ｃauと複合同期信号Ｃsyncを再生する受信部３と、音声検波信号Ｃauを検出し、有効受信の状態か否かを示す検出信号を出力するレベル検出部４と、複合同期信号Ｃsyncが時間的に高い頻度で連続して再生されているか否かの判定を行い、高い頻度で連続して再生されていると安定性が有ることを示す判定信号Ｅus、高い頻度で連続して再生されていないと安定性が無いことを示す判定信号Ｅusを出力する連続性判定部６と、判定信号Ｅusと検出信号Ｓdを入力し、安定性が有ることを示す判定信号Ｅusと有効受信であることを示す検出信号Ｓdとを入力すると、有効チャンネルを受信中と判断する制御部７とを備える。そして、制御部７が有効チャンネルを受信中と判断すると、そのときの同調周波数の情報を記憶等することで、自動サーチや自動プリセットを行う。【選択図】    図１
2006101188.tif 000002
【特許請求の範囲】
【請求項１】
有効チャンネルを自動サーチ又は自動プリセットする受信装置であって、
受信アンテナに生じる受信信号から音声検波信号と複合同期信号を再生する受信手段と、
前記音声検波信号を検出し、有効受信の状態か否かを示す検出信号を出力するレベル検出手段と、
前記複合同期信号が時間的に高い頻度で連続して再生されているか否かの判定を行い、前記高い頻度で連続して再生されていると安定性が有ることを示す判定信号、前記高い頻度で連続して再生されていないと安定性が無いことを示す判定信号を出力する連続性判定手段と、
前記判定信号と前記検出信号を入力し、前記安定性が有ることを示す判定信号と前記有効受信であることを示す検出信号とを入力すると、前記有効チャンネルを受信中と判断する制御手段と、
を有することを特徴とする受信装置。
【請求項２】
前記連続性判定手段は、水平ブランキング期間に同期して前記複合同期信号の水平同期信号成分が連続して第１の回数再生されていることを検出すると連続性有りと判断し、且つ該連続性を有している状態が１垂直走査期間内において第２の回数以上発生していることを検出すると連続性の頻度が高いと判断して前記安定性が有ることを示す判定信号を出力し、前記連続性を有している状態が１垂直走査期間内において前記第２の回数未満のときには、前記安定性が無いことを示す判定信号を出力することを特徴とする請求項１に記載の受信装置。
【請求項３】
前記制御手段は、前記判定信号と前記検出信号を入力し、前記安定性が有ることを示す判定信号と前記有効受信であることを示す検出信号を入力すると、有効チャンネルを受信中であることを示す論理値となる判断信号を発生する論理積回路を有することを特徴とする請求項１又は２に記載の受信装置。
【請求項４】
有効チャンネルを自動サーチ又は自動プリセットする受信装置における受信方法であって、
受信アンテナに生じる受信信号から音声検波信号と複合同期信号を再生する受信工程と、
前記音声検波信号を検出し、有効受信の状態か否かを示す検出信号を発生するレベル検出工程と、
前記複合同期信号が時間的に高い頻度で連続して再生されているか否かの判定を行い、前記高い頻度で連続して再生されていると安定性が有ることを示す判定信号、前記高い頻度で連続して再生されていないと安定性が無いことを示す判定信号を発生する連続性判定工程と、
前記判定信号と前記検出信号を入力し、前記安定性が有ることを示す判定信号と前記有効受信であることを示す検出信号とを入力すると、前記有効チャンネルを受信中と判断する制御工程と、
を有することを特徴とする受信方法。
【発明の詳細な説明】
【技術分野】
【０００１】
本発明は、有効な放送チャンネルを自動サーチ又は自動プリセットする機能を有する受信装置に関する。
【背景技術】
【０００２】
従来、テレビジョン放送を受信する受信装置では、放送チャンネルを自動的にシーク（掃引）し、良好な受信品質が得られた有効な放送チャンネルを検出すると、その放送チャンネルの放送を継続して受信する自動サーチ機能や、テレビジョン放送の全伝送帯域に亘って自動的にシークを繰り返し、良好な受信品質が得られた１又は複数の放送チャンネルを操作ボタン等に割り当てて記憶する自動プリセット機能が備えられており、特開平７−３０８２６号公報（特許文献）に開示されたものが知られている。
【０００３】
同特許文献の受信装置では、自動サーチや自動プリセットを行う際、同文献の図１に示されているように、チューナ２によってダウンコンバートされた中間周波信号を映像中間周波数検波回路(4)が検波すると共に、その検波信号から音声信号検出回路(8)が音声信号を検出し、更に信号検出回路(10)がその音声信号と所定の閾値とを比較することによって、音声信号が有信号であるのか無信号であるのかを検出し、検出結果を示す論理信号をＡＮＤ回路(11)の一方の入力端に供給している。
【０００４】
更に、同期分離回路(6)と水平同期検出回路(7)が、上述の検波信号を同期分離して水平同期信号を検出し、検出した水平同期信号をＡＮＤ回路(11)の他方の入力端に供給している。
【０００５】
そして、ＡＮＤ回路(11)は、有信号であることを示す論理信号と水平同期信号が同時に供給されることとなると、良好な受信品質の得られる放送チャンネルを検出したことを示す信号を選局制御回路(3)に供給し、自動的にプリセット等を行わせるようになっている。
【０００６】
かかる構成を有する従来の受信装置によると、テレビジョン信号の有無を検出することができることから、結果的に、自動サーチや自動プリセット機能等を用いて選局する際の誤動作や誤表示を招くことなく選局することができるとしている。
【０００７】
【特許文献１】特開平７−３０８２６号公報
【発明の開示】
【発明が解決しようとする課題】
【０００８】
ところで、上記従来の受信装置では、フェージング等によって時事刻々と受信品質が変化する環境下で放送を受信する場合、映像中間周波数検波回路(4)から出力される検波信号と音声信号検出回路(8)から出力される音声信号が不安定となる場合があることから、単に信号検出回路(10)がその音声信号に基づいて有信号であるのか無信号であるのかを検出しただけでは、プリセット等を行うべきタイミングを逸してしまう場合を招来するという問題がある。
【０００９】
例えば、上記従来の受信装置が自動車等の移動体に搭載される場合のように、受信品質が変化し易い環境下でシーク（掃引）を行うと、受信可能エリア内の放送チャンネルをシークした際にたまたまフェージング等によって受信品質が劣化した場合に、信号検出回路(10)から無信号であるとの論理信号が出力され、その放送チャンネルをプリセット等することなく、次の放送チャンネルをシークするための処理に移行してしまう。このため、受信可能エリア内の放送チャンネルをプリセット等する機会を逸してしまい、安定してプリセット等をすることができないという問題を招来する。
【００１０】
また、それとは逆に、シークの際にたまたま隣接妨害波や地上ディジタル放送等を受信することとなった場合、信号検出回路(10)から有信号であるとの論理信号が出力され、その隣接妨害波や地上ディジタル放送等のチャンネルをプリセット等してしまうという問題を招来する。
【００１１】
このように、上記従来の受信装置では、単に有信号と水平同期信号とを同時に検出した場合にプリセット等を行うこととしているため、本来プリセット等すべき放送チャンネルを逸したり、不要な電波のチャンネルをプリセット等してしまうといった不安定性を有しているという問題がある。
【００１２】
本発明は、こうした従来の問題点に鑑みてなされたものであり、安定した自動サーチ機能又は自動プリセット機能を発揮する受信装置を提供することを目的とする。
【課題を解決するための手段】
【００１３】
請求項１に記載の発明は、有効チャンネルを自動サーチ又は自動プリセットする受信装置であって、受信アンテナに生じる受信信号から音声検波信号と複合同期信号を再生する受信手段と、前記音声検波信号を検出し、有効受信の状態か否かを示す検出信号を出力するレベル検出手段と、前記複合同期信号が時間的に高い頻度で連続して再生されているか否かの判定を行い、前記高い頻度で連続して再生されていると安定性が有ることを示す判定信号、前記高い頻度で連続して再生されていないと安定性が無いことを示す判定信号を出力する連続性判定手段と、前記判定信号と前記検出信号を入力し、前記安定性が有ることを示す判定信号と前記有効受信であることを示す検出信号とを入力すると、前記有効チャンネルを受信中と判断する制御手段と、を有することを特徴とする。
【００１４】
請求項４に記載の発明は、有効チャンネルを自動サーチ又は自動プリセットする受信装置における受信方法であって、受信アンテナに生じる受信信号から音声検波信号と複合同期信号を再生する受信工程と、前記音声検波信号を検出し、有効受信の状態か否かを示す検出信号を発生するレベル検出工程と、前記複合同期信号が時間的に高い頻度で連続して再生されているか否かの判定を行い、前記高い頻度で連続して再生されていると安定性が有ることを示す判定信号、前記高い頻度で連続して再生されていないと安定性が無いことを示す判定信号を発生する連続性判定工程と、前記判定信号と前記検出信号を入力し、前記安定性が有ることを示す判定信号と前記有効受信であることを示す検出信号とを入力すると、前記有効チャンネルを受信中と判断する制御工程と、を有することを特徴とする。
【発明を実施するための最良の形態】
【００１５】
本発明の実施の形態について図１を参照して説明する。図１は、本実施形態の受信装置の構成を表したブロック図である。
【００１６】
同図において、この受信装置１は、受信アンテナ２が接続された受信部３と、レベル検出部４と、同期信号再生部５、連続性判定部６、制御部７を有して構成されている。
【００１７】
受信部３は、制御部７から供給される選局制御信号Ｓchの指示に従って、受信すべきテレビジョン放送の周波数と同調するための局発信号を内部で発生し、その局発信号と受信アンテナ２に生じる受信信号Ｓinとを混合することにより、周波数変換した中間周波信号（ＩＦ信号）を生成する。そして、該ＩＦ信号を所定の周波数帯域で帯域制限することにより、いわゆる希望波としてのＩＦ信号（以下「希望ＩＦ信号」と称する）を生成し、更にその希望ＩＦ信号を検波することによって、音声検波信号と複合映像信号（コンポジット信号）と複合同期信号を再生し、更に、音声検波信号と複合映像信号を復調等することによって、放送局側から送られてきた音声信号Ｓauと映像信号Ｓvdを再生して、例えばスピーカやディスプレイ等に供給する。
【００１８】
また、受信部３は、自動サーチ又は自動プリセットを行う際にも、制御部７から供給される選局制御信号Ｓchの指示に従って、シーク（掃引）すべき周波数と同調するための局発信号を内部で発生し、上述したように音声検波信号と複合映像信号と複合同期信号を再生する。
【００１９】
ここで、「自動サーチ」とは、局発信号ＬＯの同調周波数をシーク（掃引）していき、受信品質の良好な放送を受信した時点でシークを終了して、その良好な放送を継続受信する処理をいう。したがって、「自動サーチ」では、受信品質の良好な放送チャンネル（有効チャンネル）を１個だけ検出する。また、良好な放送を受信できないときには、ユーザが終了の指示を行うまでシーク動作を継続するようになっている。
【００２０】
「自動プリセット」とは、テレビジョン放送の全伝送帯域に亘って、局発信号ＬＯの同調周波数をシーク（掃引）していき、受信品質の良好な放送チャンネル（有効チャンネル）を検出すると、その検出した有効チャンネルの同調周波数と選局操作ボタンとを対応付けて記憶することによって、その後、ユーザが所望の選局操作ボタンをオン操作するだけで、所望の放送を受信できるようにする処理をいう。したがって、「自動プリセット」では、受信品質の良好な放送チャンネル（有効チャンネル）が１個に拘わらず複数個検出された場合には、複数個の各有効チャンネルの同調周波数と複数個の各選局操作ボタンとを対応付けて記憶するようになっている。
【００２１】
レベル検出部４は、自動サーチ又は自動プリセットの際に、受信部３が希望ＩＦ信号を検波することによって再生する音声検波信号Ｃauの有無を検出する。そして、受信部３から音声検波信号Ｃauが出力されたときには、受信状態が良好な受信品質の得られる状態（以下「有効受信」状態という）であると判断し、音声検波信号Ｃauが出力されないときには、「有効受信」の状態ではないと判断して、夫々の判断結果を示す検出信号Ｓdを出力する。
【００２２】
例えば、レベル検出部４は、受信部３が希望ＩＦ信号を検波することによって再生する音声検波信号Ｃauのレベルとノイズレベルとを区別すべく決められている所定値の閾値と音声検波信号Ｃauとを比較し、音声検波信号Ｃauのレベルの方が閾値より大きいときには、「有効受信」の状態であると判断して論理“Ｈ”となる検出信号Ｓdを出力し、一方、音声検波信号Ｃauのレベルの方が閾値より小さいときには、「有効受信」の状態では無いと判断して論理“Ｌ”となる検出信号Ｓdを出力する。
【００２３】
同期信号再生部５は、受信部３で再生される複合同期信号Ｃsyncを入力し、その複合同期信号Ｃsyncに含まれている水平同期信号成分と垂直同期信号成分を検出する。そして、その検出した水平同期信号成分に同期し且つテレビジョン放送の規格で定められている水平同期周波数と等しい周波数の水平同期信号Ｈwを発生して出力すると共に、検出した垂直同期信号成分に同期し且つテレビジョン放送の規格で定められている垂直同期周波数と等しい周波数の垂直同期信号Ｖdを発生して出力する。
【００２４】
連続性判定部６は、自動サーチ又は自動プリセットの際、水平同期信号Ｈwの各周期（すなわち、１Ｈ期間）Ｔhに同期して、複合同期信号Ｃsync中に水平同期信号成分が存在しているか否かを検出し、水平同期信号成分が存在している状態（以下「一致性」を有する状態と称する）がｎＨ期間に亘ってｎ回（本実施形態では、３回）連続しているか否か調べ、ｎ回連続している場合に、水平同期信号成分に「連続性」があると判断する。更に、その「連続性」の有る状態を、垂直同期信号Ｖdの各垂直走査期間（すなわち，１Ｖ期間）内において計数し、その計数値ｍが所定回数ｕ（本実施例では、６３回）以上のときには、「連続性の頻度」が高いと判断する。そして、「連続性の頻度」が高いと判断すると、水平同期信号成分が安定して検波され、欠落等の少ない状態であると判定して、「安定性」が有ることを示す判定信号Ｅusを出力する。
【００２５】
一方、計数値ｍが所定回数ｕ未満のときには、連続性判定部６は、「連続性の頻度」が低いと判断し、水平同期信号成分が安定して検波されていないと判定して、「安定性」が無いことを示す判定信号Ｅusを出力する。
【００２６】
制御部７は、判定信号Ｅusと検出信号Ｓdを入力する。そして、「安定性」が有ることを示す判定信号Ｅusと、「有効受信」の状態であることを示す検出信号Ｓdとが時間的に重なって供給されることとなると、受信部３が良好な受信品質の得られる放送を受信中であると判断する。
【００２７】
すなわち、制御部７は、「安定性」が有ることを示す判定信号Ｅusが供給されている間に、「有効受信」であることを示す検出信号Ｓdが供給された場合、または、「有効受信」であることを示す検出信号Ｓdが供給されている間に、「安定性」が有ることを示す判定信号Ｅusが供給された場合に、受信部３が良好な受信品質の得られる放送を受信中であると判断する。
【００２８】
そして、制御部７は、自動サーチの際に、検出信号Ｓdと判定信号Ｅusとに基づいて、上述した良好な受信品質の得られる放送を受信中であると判断すると、有効チャンネルを受信中であると判断して、その受信中に選局制御信号Ｓchによって受信部３に指示した局発信号の同調周波数の情報を、例えば半導体メモリ等で形成された選局情報記憶部（図示略）に記憶させると共に、受信部３に対して、その同調周波数を維持して受信動作を継続させる。
【００２９】
また、自動サーチの際に、制御部７は、検出信号Ｓdと判定信号Ｅusとに基づいて、良好な受信品質の得られる放送を受信中では無いと判断すると、有効チャンネルを受信中ではないと判断して、選局制御信号Ｓchによって、次にシークすべき同調周波数を指示して受信部３に受信を行わせる。そして、上記次のシークの際に、検出信号Ｓdと判定信号Ｅusとに基づいて、良好な受信品質の得られる有効チャンネルの放送を受信中であると判断すると、その受信中に選局制御信号Ｓchによって受信部３に指示した局発信号の同調周波数を、選局情報記憶部にデータとして記憶させると共に、受信部３に対して、その同調周波数を維持して受信動作を継続させる。
【００３０】
このように、制御部７は、自動サーチが開始されると、テレビジョン放送の伝送帯域の範囲内において、良好な受信品質の得られる有効チャンネルの放送を受信中であると判断するまで、同調周波数を順に変化させてシーク動作を継続する。また、良好な受信品質の得られる有効チャンネルが見つからなくとも、ユーザから自動プリセットの処理を終了させるべく指示がなされると、強制的に自動プリセットの処理を終了する。
【００３１】
自動プリセットの際には、制御部７は、テレビジョン放送の全伝送帯域の範囲内に亘って同調周波数を順に変化させていき、上述の自動サーチの場合と同様に、検出信号Ｓdと判定信号Ｅusとに基づいて、良好な受信品質の得られる有効チャンネルの放送を受信中であると判断した時点で、その同調周波数と選局操作ボタン（図示略）との対応付けを行うと共に、その対応付けを行った同調周波数と選局操作ボタンとの情報を選局情報記憶部に選局用データとして記憶させる。
【００３２】
以上説明したように、本実施形態の受信装置１によると、自動サーチ又は自動プリセットの際に、複合同期信号Ｃsyncが時間的に高い頻度で連続して再生されているか否かの判定を行い、高い頻度で連続して再生されていると、安定性が有ることを示す判定信号Ｅusを生成すると共に、安定性が有ることを示す判定信号Ｅusが生じている間に、音声検波信号Ｃauが検波されたことを示す検出信号Ｓdが検出された場合に、その受信中の同調周波数の情報を選局情報記憶部に記憶するので、安定した自動サーチ機能や自動プリセット機能を発揮する受信装置を提供することができる。
【００３３】
例えば、本実施形態の受信装置１では、自動サーチ又は自動プリセットの際に、安定して受信することができる放送チャンネル（有効チャンネル）を検出して、同調周波数の情報を選局情報記憶部に記憶することとなるので、受信品質が変化し易い環境下でシークを行った場合に、たまたまフェージング等によって受信品質が劣化して、受信可能エリア内の放送チャンネルをプリセット等する機会を逸してしまうといった問題を回避することができる。また、シークの際にたまたま隣接妨害波や地上ディジタル放送等を受信することとなった場合、その隣接妨害波や地上ディジタル放送等のチャンネルをプリセット等してしまうという問題を回避することが可能である。
【００３４】
なお、以上に説明した本実施形態の受信装置１では、上述したように、連続性判定部６は、複合同期信号Ｃsync中に存在する水平同期信号成分がｎＨ期間に亘ってｎ回（具体的には、３回）連続したか否か調べることにより、その水平同期信号成分の発生状態に「連続性」が有るか否か判断することとしているが、本願発明は、かかる技法に限定されるものではない。例えば、１Ｈ期間（１水平走査期間）のＮ倍（Ｎは、適宜の自然数）の期間を基準期間と決めておき、連続性判定部６がその基準期間内に、水平同期信号成分がｎ回発生したことを検出すると、実際に水平同期信号成分が各水平走査期間において連続して発生しなくとも、「連続性」が有ると判断するようにしてもよい。つまり、所定の基準期間内に、時間的に高い頻度（別言すれば、時間的に高い密度）で水平同期信号成分が発生したか否かを検出することで、「連続性」の有無を判断するようにすればよい。
【００３５】
また、本実施形態の連続性判定部６は、上述の「連続性」の有る状態を、垂直同期信号Ｖdの各垂直走査期間（すなわち、１Ｖ期間）内において計数し、その計数値ｍが所定回数ｕ（具体的には、６３回）以上のときには、「連続性の頻度」が高いと判断して、水平同期信号成分の検波状態に「安定性」が有ることを示す判定信号Ｅusを出力することとしているが、本願発明は、かかる技法に限定されるものではない。例えば、「連続性」の有る状態を、垂直同期信号Ｖdの各垂直走査期間（１Ｖ期間）内において計数する代わりに、予め決められた所定期間（すなわち、１Ｖ期間以外の適宜の期間であって、例えば１Ｈ期間より長い期間）内に、「連続性」の有る状態が所定回数以上生じたか否か判断するようにしてもよい。すなわち、「連続性の頻度」を判断する場合にも、時間的に高い密度で「連続性」の有る状態が発生したか否かを判断するようにしてもよい。
【実施例１】
【００３６】
次に、図１に示した実施形態に係るより具体的な実施例の受信装置について、図２ないし図６を参照して説明する。なお、図２は、本実施例の受信装置の構成を表したブロック図であり、図１と同一又は相当する部分を同一符号で示している。図３は、本実施例の受信装置の機能を説明するためのタイミングチャート、図４と図５は、自動サーチと自動プリセットの際の動作を説明するためのフローチャート、図６は、変形例の構成を表した図である。
【００３７】
図２において、この受信装置１は、図１に示した受信装置と同様に、受信アンテナ２が接続された受信部３と、レベル検出回路４と、水平同期検出回路５、連続性判定部６、制御部７とを有する他、受信装置１全体の動作を同期させるためのシステムクロックＣＫを発生するシステムクロック発生回路８と、ユーザが所望の操作入力を行うための操作部９が設けられている。
【００３８】
ここで、受信部３は、受信アンテナ２に生じる受信信号Ｓinを増幅して、そのＲＦ信号ＳRFを出力するＲＦアンプ部３aと、選局制御信号Ｓchで指示される同調周波数の局発信号ＬＯを出力する局部発振器３gと、ＲＦ信号ＳRFと局発信号ＬＯとを混合することにより中間周波信号（ＩＦ信号）ＳIFを生成して出力する周波数変換部３bと、ＩＦ信号ＳIFを所定の周波数帯域で帯域制限することにより、いわゆる希望波としてのＩＦ信号（希望ＩＦ信号）ＳIFwを出力するＩＦアンプ部３cと、希望ＩＦ信号ＳIFwを検波することで復合映像信号Ｃvdを生成する映像検波回路３dと、希望ＩＦ信号ＳIFwを検波することで音声検波信号Ｃauを生成する音声検波回路３eと、復合映像信号Ｃvdから復合同期信号Ｃsyncを分離する同期分離回路３fとを有して構成されている。
【００３９】
レベル検出回路４は、自動サーチ又は自動プリセットの際に、所定の閾値と音声検波信号Ｃauのレベルとを比較する比較器で形成されており、音声検波信号Ｃauのレベルの方が閾値より大きいときには、良好な受信品質の得られる「有効受信」の状態であることを示す論理“Ｈ”となる検出信号Ｓdを出力する。一方、音声検波信号Ｃauのレベルの方が閾値より小さいときには、「有効受信」の状態で無いことを示す論理“Ｌ”となる検出信号Ｓdを出力する。
【００４０】
同期信号再生回路５は、テレビジョン放送の規格に準拠した水平同期周波数（ＮＴＳＣ方式の場合、約１５．７３ｋＨｚ）の信号を発生し、テレビジョン放送の規格に準拠した垂直同期周波数（ＮＴＳＣ方式の場合、約６０Ｈｚ）の信号を発生する。そして、同期信号再生回路５は、複合同期信号Ｃsyncに含まれている水平同期信号成分と垂直同期信号成分とを検出し、その水平同期信号成分に同期し且つ水平同期周波数の信号と等しい周波数の水平同期信号Ｈwを発生して出力すると共に、検出した垂直同期信号成分に同期し且つ垂直同期周波数の信号と等しい周波数の垂直同期信号Ｖdを発生して出力する。
【００４１】
すなわち、同期信号再生回路５は、図３（ａ）に示すように、自動サーチ又は自動プリセットの処理をある時点ｔsから開始した場合、水平同期信号成分に同期して１Ｈ期間（１水平走査期間）Ｔhを１周期とする水平同期信号Ｈwを出力し、更に図３（ｂ）に示すように、垂直同期信号成分に同期して１Ｖ期間（１垂直走査期間）Ｔvを１周期とする垂直同期信号Ｖdを出力する。
【００４２】
連続性判定部６は、水平同期検出回路６ａと連続性判定回路６ｂを有して構成されている。
【００４３】
そして、水平同期検出回路６ａが、自動サーチ又は自動プリセットの際、水平同期信号Ｈwの各周期（すなわち、１Ｈ期間）Ｔhに同期して、複合同期信号Ｃsync中に水平同期信号成分が存在しているか否かを検出し、水平同期信号成分が存在していることを検出すると、論理“Ｈ”となる２値信号から成る水平同期検知信号Ｈinを発生して連続性判定回路６ｂに供給する。
【００４４】
連続性判定回路６ｂは、水平同期信号Ｈwが発生する時点に同期して、論理“Ｈ”となる水平同期検知信号Ｈinが発生したか否かの検出を行うことで、水平同期信号Ｈwと水平同期検知信号Ｈinとの「一致性」を調べる。
【００４５】
例えば、連続性判定回路６ｂには、水平同期信号Ｈwと水平同期検知信号Ｈinとの論理積演算を行うＡＮＤ回路が設けられ、「一致性」が有る場合には該ＡＮＤ回路の出力が論理“Ｈ”となり、一方、「一致性」が無い場合には該ＡＮＤ回路の出力が論理“Ｌ”となる。
【００４６】
更に、連続性判定回路６ｂは、内蔵されている第１の計数回路（図示略）によって、その「一致性」を有する状態が連続して所定回数ｎ（３回）連続しているか否か調べ、ｎ回連続している場合に「連続性」ありと判断する。例えば、第１の計数回路が１Ｈ期間Ｔh毎に上述のＡＮＤ回路の出力を計数し、連続して計数した計数値が値ｎとなる毎に、図３（ａ）に示すように、「連続性」が有ることを示す論理“Ｈ”となる信号Ｅdを発生する。
【００４７】
更に、連続性判定回路６ｂ内に設けられている第２の計数回路（図示略）によって、その「連続性」の有る状態を、垂直同期信号Ｖdの各垂直走査期間（すなわち、１Ｖ期間）Ｔv内において計数し、その計数値ｍが所定回数ｕ（６３回）以上のときには、「連続性の頻度」が高く「「安定性」が有ると判断し、その計数値ｍが所定回数ｕ未満のときには、「連続性の頻度」が高く無く「安定性」が無いと判断する。
【００４８】
例えば、第２の計数回路が第１の計数回路の出力Ｅdを１Ｖ期間Ｔv内において計数する。そして、図３（ｂ）に示すように、計数値ｍが回数ｕ以上のときには、「連続性の頻度」が高く「安定性」が有ることを示す論理“Ｈ”となる判定信号Ｅusを出力し、一方、計数値ｍが回数ｕ未満のときには、「連続性の頻度」が高く無く、「安定性」が無いことを示す論理“Ｌ”となる判定信号Ｅusを出力する。
【００４９】
制御部７は、マイクロプロセッサ（ＭＰＵ）等を有する回路で形成された制御回路７ａと、半導体メモリ等で形成された選局情報記憶用の記憶部７ｂを有して構成されており、更に、ユーザが操作入力を行うための選局操作ボタンと自動サーチと自動プリセットの動作を開始させるための操作ボタン等が設けられた操作部９が、制御回路７ａに接続されている。
【００５０】
そして、制御回路７ａは、判定信号Ｅusと検出信号Ｓdを入力し、「安定性」が有ることを示す判定信号Ｅusと、「有効受信」の状態であることを示す検出信号Ｓdとが時間的に重なって供給されることとなると、受信部３が良好な受信品質の得られる放送を受信中であると判断する。
【００５１】
すなわち、制御回路７ａは、図３（ｂ）に例示するように、「安定性」が有ることを示す判定信号Ｅusが供給されている間に、「有効受信」であることを示す検出信号Ｓdが供給された場合、または、「有効受信」であることを示す検出信号Ｓdが供給されている間に、「安定性」が有ることを示す判定信号Ｅusが供給された場合に、受信部３が良好な受信品質の得られる有効チャンネルの放送を受信中であると判断し、その判断結果を示す論理“Ｈ”となる判断信号Ｓjdを内部で発生する。
【００５２】
そして、制御回路７ａは、自動サーチの際に、検出信号Ｓdと判定信号Ｅusとに基づいて、上述した良好な受信品質の得られる有効チャンネルの放送を受信中であると判断した判断信号Ｓjdに同期して、所定の期間τ内において、その受信中に選局制御信号Ｓchによって局部発振器３gに指示した局発信号の同調周波数の情報を、記憶部７ｂに記憶させると共に、局部発振器３gに対して、その同調周波数を維持して受信動作を継続させる。そして、期間τの経過時点ｔpにおいて自動サーチの処理を完了する。
【００５３】
また、自動サーチの際に、制御回路７ａは、検出信号Ｓdと判定信号Ｅusとに基づいて、良好な受信品質の得られる有効チャンネルの放送を受信中では無いと判断すると、選局制御信号Ｓchによって、次にシークすべき同調周波数を指示して受信部３に受信を行わせる。
【００５４】
つまり、図３（ｂ）に例示するように、検出信号Ｓdと判定信号Ｅusが共に論理“Ｌ”となっている場合や、検出信号Ｓdが論理“Ｈ”で判定信号Ｅusが論理“Ｌ”となっている場合や、検出信号Ｓdが論理“Ｌ”で判定信号Ｅusが論理“Ｈ”となっている場合において、判断信号Ｓjdが論理“Ｌ”となる期間中では、所定期間毎に次にシークすべき同調周波数を指示して受信部３に受信を行わせる。なお、本実施例では、受信部３に対して、次にシークすべき同調周波数を指示するための上記所定期間として、約１００msec毎の期間が決められている。但し、約１００msec毎でなくともよく、１回のシークに支障を来さない期間、例えば１Ｖ期間Ｔvより長い期間であれば、適宜に決めることが可能である。
【００５５】
そして、制御回路７ａが、上記次のシークの際に、検出信号Ｓdと判定信号Ｅusとに基づいて、良好な受信品質の得られる有効チャンネルの放送を受信中であると判断することとなると、その受信中に選局制御信号Ｓchによって受信部３に指示した局発信号の同調周波数の情報を、記憶部７ｂに記憶させると共に、受信部３に対して、その同調周波数を維持して受信動作を継続させる。
【００５６】
自動プリセットの際には、制御回路７ａは、選局制御信号Ｓchによって、テレビジョン放送の全伝送帯域に亘って、約１００msec毎に同調周波数を順に変化させていき、上述の自動サーチの場合と同様に、検出信号Ｓdと判定信号Ｅusとに基づいて、良好な受信品質の得られる有効チャンネルの放送を受信中であると判断して論理“Ｈ”となる判断信号Ｓjdを発生した時点で、その同調周波数と選局操作ボタンとの対応付けを行うと共に、その対応付けを行った同調周波数と選局操作ボタンとの情報を記憶部７ｂに選局用データとして記憶させる。
【００５７】
したがって、自動プリセットの際には、制御回路７ａは、テレビジョン放送の全伝送帯域の範囲内において同調周波数を順に変化させて、良好な受信品質の得られる有効チャンネルの放送を複数個の検出した場合には、複数個の選局用データを記憶部７ｂに記憶させる。
【００５８】
そして、制御回路７ａは、自動プリセットの処理を完了すると、その後ユーザが操作部９の所望の選局操作ボタンをオン操作するのに従って、オン操作された選局操作ボタンに対応付けられている選局用データを記憶部７ｂから読み出すと共に、受信部３に対して、その選局用データで示されている同調周波数を選局制御信号Ｓchによって指示することで、ユーザの所望する放送を受信させる。したがって、ユーザは自動プリセットを行わせると、いわゆるワンタッチ操作をするだけで、所望の放送を選局することができるようになっている。
【００５９】
次に、かかる構成を有する本実施例の受信装置１の動作について、図４及び図５を参照して説明する。なお、図４に基づいて自動サーチの際の動作、図５に基づいて自動プリセットの際の動作を夫々説明することとする。
【００６０】
〈自動サーチの動作〉
図４において、ユーザから操作部９を介して自動サーチの開始の指示がなされると、本受信装置１は、制御回路７ａの制御下で、自動サーチの処理を開始する。
【００６１】
まず、ステップＳ１００において、連続性判定回路６ｂに設けられている計数回路の計数値ｎ，ｍを０にリセットさせた後、計数動作を開始させる等の初期化を行う。
【００６２】
次に、ステップＳ１０１において、制御回路７ａが選局制御信号Ｓchによって、所定のディフォルト周波数（既定周波数）を同調周波数とすべく、局部発振器３gに指示する。これにより、シークが開始され、同期信号再生回路５とレベル検出回路４と水平同期検出回路６ａが、水平同期信号Ｈwと垂直同期信号Ｖdと、検出信号Ｓd、水平同期検知信号Ｈinの生成を開始する。
【００６３】
次に、ステップＳ１０２において、連続性判定回路６ｂが、水平同期検知信号Ｈinと水平同期信号Ｈwとの「一致性」の有無を調べる。そして、「一致性」が無いと判断すると、ステップＳ１０３において計数値ｎを０に設定した後、後述のステップＳ１０７に移行する。
【００６４】
一方、ステップＳ１０２において、連続性判定回路６ｂが、「一致性」が有ると判断すると、ステップＳ１０４において、計数値ｎを１カウントアップしてから、ステップＳ１０５へ移行する。
【００６５】
ステップＳ１０５では、連続性判定回路６ｂが、計数値ｎは３に達したか否か調べる。そして、計数値ｎが３に達していなければステップＳ１０７に移行し、計数値ｎが３に達していればステップＳ１０６において計数値ｍを１カウントアップした後、ステップＳ１０７に移行する。
【００６６】
ステップＳ１０７では、連続性判定回路６ｂが１Ｖ期間Ｔvに達したかを垂直同期信号Ｖdに基づいて判断し、未だ１Ｖ期間Ｔvに達していなければステップＳ１０２に戻って処理を繰り返す。また、１Ｖ期間Ｔvに達していれば、ステップＳ１０８に移行する。
【００６７】
ステップＳ１０８では、計数値ｍが所定の回数ｕ以上となっているか否かを連続性判定回路６ｂが調べ、計数値ｍが回数ｕ以上であった場合には、ステップＳ１０９において論理“Ｈ”となる判定信号Ｅusを出力した後、ステップＳ１１１に移行し、計数値ｍが回数ｕ未満であった場合には、ステップＳ１１０において、論理“Ｌ”となる判定信号Ｅusを出力した後、ステップＳ１１１に移行する。
【００６８】
このように、ステップＳ１０２〜Ｓ１１０の処理では、連続性判定回路６ｂが、水平同期検知信号Ｈinの「連続性」と「連続性の頻度」を調べることにより、複合同期信号Ｃsync中の水平同期信号成分の「連続性」と「連続性の頻度」を調べ、これら「連続性」と「連続性の頻度」が所定の条件を満たしている場合に、論理“Ｈ”となる判定信号Ｅusを出力し、一方、「連続性」と「連続性の頻度」が所定の条件を満たしていない場合に、論理“Ｌ”となる判定信号Ｅusを出力する。
【００６９】
次に、ステップＳ１１１において、制御回路７ａが検出信号Ｓdと判定信号Ｅusとを調べ、両者が論理“Ｈ”となったか否か判断する。そして、これらの信号Ｓd，Ｅusが共に論理“Ｈ”となっていると、有効チャンネルの放送を受信中であると判断して、ステップＳ１１２に移行し、有効チャンネルの放送を受信中であることを示す論理“Ｈ”となる判断信号Ｓijを内部で発生すると共に、その受信中の同調周波数に固定させて、自動サーチの処理を終了する。
【００７０】
一方、上述のステップＳ１１１において、制御回路７ａが有効チャンネルの放送を受信中では無いと判断すると、ステップＳ１１３に移行して、同調周波数を変更させるべき所定時間（すなわち、約１００msec）が経過したか否か判断し、未だその時間が経過していなければ、ステップＳ１１５において連続性判定回路６ｂに設けられている計数回路の計数値ｎ，ｍを０にリセットさせた後、ステップＳ１０２からの処理を繰り返す。
【００７１】
また、ステップＳ１１３において、制御回路７ａが所定期間（すなわち、約１００msec）経過したと判断すると、ステップＳ１１４において、選局制御信号Ｓchを局部発振器３gに供給することにより、同調周波数を次にシークするための周波数に変更させ、更にステップＳ１１５において連続性判定回路６ｂに設けられている計数回路の計数値ｎ，ｍを０にリセットさせた後、ステップＳ１０２からの処理を繰り返す。
【００７２】
このように、ステップＳ１１３〜Ｓ１１５では、有効チャンネルの放送が見つかっていない間、シーク動作を継続するための処理を行う。そして、ステップＳ１１１において、有効チャンネルの放送が見つかると、ステップＳ１１２において、その有効チャンネルの放送を継続受信すべく、同調周波数を固定すると共に、その同調周波数の情報を記憶部７に記憶する等の処理を行って、自動サーチの処理を終了する。なお、図４中には示されていないが、有効チャンネルの放送が見つかっていない間に、ユーザが操作部９を介して自動サーチを終了するための入力操作を行うと、図４中の何れのステップであっても、制御回路７ａが強制的に自動サーチの処理を終了するようになっている。
【００７３】
〈自動プリセットの動作〉
次に、図５を参照して、自動プリセットの際の動作について説明する。なお、図５において、図４と同一又は同一の処理を行うステップを同一符号で示している。
【００７４】
図５において、ユーザから操作部９を介して自動プリセットの開始の指示がなされると、図４に示した自動サーチの場合と同様に、本受信装置１は制御回路７ａの制御下で、自動プリセットの処理を開始し、ステップＳ１００における初期化処理を行った後、ステップＳ１０１において所定のディフォルト周波数（既定周波数）を同調周波数に設定し、ステップＳ１０２以降の処理に移行する。
【００７５】
そして、ステップＳ１０２〜Ｓ１１０の処理では、連続性判定回路６ｂが、水平同期検知信号Ｈinの「連続性」と「連続性の頻度」を調べることにより、複合同期信号Ｃsync中の水平同期信号成分の「連続性」と「連続性の頻度」を調べ、これら「連続性」と「連続性の頻度」が所定条件を満たしている場合に、論理“Ｈ”となる判定信号Ｅusを出力し、一方、「連続性」と「連続性の頻度」が所定条件を満たしていない場合に、論理“Ｌ”となる判定信号Ｅusを出力する。
【００７６】
次に、ステップＳ１１１において、制御回路７ａが、検出信号Ｓdと判定信号Ｅusとを調べ、両者が論理“Ｈ”となったか否か判断する。そして、これらの信号Ｓd，Ｅusが共に論理“Ｈ”となっていると、有効チャンネルの放送を受信中であると判断して、ステップＳ１１６に移行し、有効チャンネルの放送を受信中であることを示す論理“Ｈ”となる判断信号Ｓijを内部で発生すると共に、所定の期間τ内において、その受信中に選局制御信号Ｓchによって局部発振器３gに指示した局発信号の同調周波数と選局操作ボタンとの対応付けを行い、更に、その対応付けを行った同調周波数と選局操作ボタンとの情報を記憶部７ｂに選局用データとして記憶させ、次のステップＳ１１７へ移行する。
【００７７】
また、上述のステップＳ１１１において、制御回路７ａが有効チャンネルの放送を受信中では無いと判断すると、直接ステップＳ１１７へ移行する。
【００７８】
ステップＳ１１７では、テレビジョン放送の全伝送周波数帯域に亘ってシークを行ったか否か判断し、未だであればステップＳ１１３に移行する。一方、テレビジョン放送の全伝送周波数帯域に亘ってシークを行った場合には、自動プリセットの処理を終了する。
【００７９】
そして、ステップＳ１１３において、制御回路７ａが、同調周波数を変更させるべき所定時間（すなわち、約１００msec）が経過したか判断し、未だその時間が経過していなければ、ステップＳ１１５において連続性判定回路６ｂに設けられている計数回路の計数値ｎ，ｍを０にリセットさせた後、ステップＳ１０２からの処理を繰り返す。また、ステップＳ１１３において、制御回路７ａが所定期間（すなわち、約１００msec）経過したと判断すると、ステップＳ１１４において、選局制御信号Ｓchを局部発振器３gに供給することにより、同調周波数を次にシークするための周波数に変更させ、更にステップＳ１１５において連続性判定回路６ｂに設けられている計数回路の計数値ｎ，ｍを０にリセットさせた後、ステップＳ１０２からの処理を繰り返す。
【００８０】
そして、ステップＳ１０２からの繰り返し処理の後、制御回路７ａがステップＳ１１７において、テレビジョン放送の全伝送周波数帯域に亘ってシークを行ったと判断すると、自動プリセットの処理を終了する。
【００８１】
以上説明したように、本実施例の受信装置１によると、自動サーチ又は自動プリセットの際に、複合同期信号Ｃsyncが時間的に高い頻度で連続して再生されているか否かの判定を行い、高い頻度で連続して再生されていると、安定性が有ることを示す判定信号Ｅusを生成すると共に、安定性が有ることを示す判定信号Ｅusが生じている間に、音声検波信号Ｃauが検波されたことを示す検出信号Ｓdが検出された場合に、その受信中の同調周波数の情報を選局情報記憶部に記憶するので、安定した自動サーチ機能や自動プリセット機能を発揮する受信装置を提供することができる。
【００８２】
例えば、本実施形態の受信装置１では、自動サーチ又は自動プリセットの際に、安定して受信することができる放送チャンネル（有効チャンネル）を検出して、同調周波数の情報を選局情報記憶部に記憶することとなるので、受信品質が変化し易い環境下でシーク（掃引）を行った場合に、たまたまフェージング等によって受信品質が劣化して、受信可能エリア内の放送チャンネルをプリセット等する機会を逸してしまうといった問題を回避することができる。また、シークの際にたまたま隣接妨害波や地上ディジタル放送等を受信することとなった場合、その隣接妨害波等のチャンネルをプリセット等してしまうという問題を回避することが可能である。
【００８３】
なお、図２に示した本実施形態の受信装置１では、自動サーチ又は自動プリセットの際に、制御回路７ａは、レベル検出回路４から出力される検出信号Ｓdと連続性判定回路６ｂから出力される判定信号Ｅusとを入力して、有効チャンネルの放送を受信中か否かの判定を行う構成となっているが、図６に示すように、検出信号Ｓdと判定信号Ｅusとを論理積演算するＡＮＤ回路７cを設け、該ＡＮＤ回路７cから出力される判断信号Ｓjdを制御回路７ａが入力して、有効チャンネルの放送を受信中か否かの判定を行うようにしてもよい。
【００８４】
かかる変形例の構成によると、制御回路７ａ内に設けられているマイクロプロセサ（ＭＰＵ）の処理の負担を軽減することができる。
【図面の簡単な説明】
【００８５】
【図１】本発明の実施形態に係る受信装置の構成を表したブロック図である。
【図２】図１に示した受信装置のより具体的な実施例の構成を表したブロック図である。
【図３】図２に示した受信装置の機能を説明するためのタイミングチャートである。
【図４】図２に示した受信装置における自動サーチの際の動作を説明するためのフローチャートである。
【図５】図２に示した受信装置における自動プリセットの際の動作を説明するためのフローチャートである。
【図６】図２に示した受信装置の変形例の構成を表したブロック図である。
【符号の説明】
【００８６】
１…受信装置
２…受信アンテナ
３…受信部
４…レベル検出部、レベル検出回路
６…連続性判定部、連続性判定回路
７…制御部
７a…制御回路
【図１】
2006101188.tif 000003
【図２】
2006101188.tif 000004
【図３】
2006101188.tif 000005
【図４】
2006101188.tif 000006
【図５】
2006101188.tif 000007
【図６】
2006101188.tif 000008